(57)【要約】【課題】本発明は、色特性及び効率を改善して、安定した白色を表示することができる有機発光装置を提供する。【解決手段】本発明による有機発光装置は、第１電極、前記第１電極と対向する第２電極、及び前記第１電極と前記第２電極との間に位置する発光部材を含み、前記発光部材は、少なくとも二つの青色発光ユニット及び少なくとも一つのオレンジ色発光ユニットを含む。【選択図】図１
2011119251.tif 000002
【特許請求の範囲】
【請求項１】
第１電極、
前記第１電極と対向する第２電極、及び
前記第１電極と前記第２電極との間に位置する発光部材を含み、
前記発光部材は、少なくとも二つの青色発光ユニット及び少なくとも一つのオレンジ色発光ユニットを含むことを特徴とする、有機発光装置。
【請求項２】
前記発光部材は、前記複数の青色発光ユニットの間、及び前記各青色発光ユニットとオレンジ色発光ユニットとの間に各々位置する電荷生成層を含むことを特徴とする、請求項１に記載の有機発光装置。
【請求項３】
前記オレンジ色発光ユニットは、５５０乃至６５０ｎｍの波長領域のオレンジ色光を発光する発光層を含むことを特徴とする、請求項１または２に記載の有機発光装置。
【請求項４】
前記オレンジ色発光ユニットは、赤色発光層及び緑色発光層が積層された構造からなることを特徴とする、請求項１〜３のいずれかに記載の有機発光装置。
【請求項５】
前記赤色発光層は、正孔輸送特性を有する化合物を含むことを特徴とする、請求項４に記載の有機発光装置。
【請求項６】
前記赤色発光層は、トリフェニルアミン誘導体を含むことを特徴とする、請求項４または５に記載の有機発光装置。
【請求項７】
前記緑色発光層は、電子輸送特性を有する化合物を含むことを特徴とする、請求項４〜６のいずれかに記載の有機発光装置。
【請求項８】
前記緑色発光層は、トリアジン基及びオキサジアゾール基のうちの少なくとも一つを含むカルバゾール誘導体、スピロフルオレン誘導体、またはこれらの組み合わせを含むことを特徴とする、請求項４〜７のいずれかに記載の有機発光装置。
【請求項９】
前記オレンジ色発光ユニットは、ホスト物質に赤色発光物質及び緑色発光物質が共にドーピングされた発光層を含むことを特徴とする、請求項１〜８のいずれかに記載の有機発光装置。
【請求項１０】
前記ホスト物質は、三重項エネルギーが前記緑色発光物質の三重項エネルギーより大きいことを特徴とする、請求項９に記載の有機発光装置。
【請求項１１】
前記赤色発光物質及び緑色発光物質は、燐光ドーパントであることを特徴とする、請求項９または１０に記載の有機発光装置。
【請求項１２】
前記青色発光ユニットは、蛍光物質を含む発光層を含み、
前記オレンジ色発光ユニットは、燐光物質を含む発光層を含むことを特徴とする、請求項１〜１１のいずれかに記載の有機発光装置。
【請求項１３】
前記青色発光ユニット及び前記オレンジ色発光ユニットのうちの少なくとも一つは、補助層を含むことを特徴とする、請求項１〜１２のいずれかに記載の有機発光装置。
【請求項１４】
前記発光部材は、
前記青色発光ユニットから発光される光、及び前記オレンジ色発光ユニットから発光される光を組み合わせて白色発光することを特徴とする、請求項１〜１３のいずれかに記載の有機発光装置。
【請求項１５】
互いに異なる色を表示する第１副画素、第２副画素、及び第３副画素、そして白色副画素を含み、
前記発光部材は、前記第１副画素、前記第２副画素、前記第３副画素、及び前記白色副画素に共通的に形成されていて、
前記第１副画素、前記第２副画素、及び前記第３副画素は、前記発光部材の下部または上部に位置する赤色フィルター、緑色フィルター、及び青色フィルターを各々含むことを特徴とする、請求項１〜１４のいずれかに記載の有機発光装置。
【請求項１６】
第１電極、
前記第１電極上に形成されている第１青色発光層、
前記第１青色発光層上に形成されている第１電荷生成層、
前記第１電荷生成層上に形成されている第２青色発光層、
前記第２青色発光層上に形成されている第２電荷生成層、
前記第２電荷生成層上に形成されているオレンジ色発光層、及び
前記オレンジ色発光層上に形成されている第２電極を含むことを特徴とする、有機発光装置。
【請求項１７】
前記第１青色発光層及び前記第２青色発光層は、蛍光物質を含むことを特徴とする、請求項１６に記載の有機発光装置。
【請求項１８】
前記オレンジ色発光層は、燐光物質を含むことを特徴とする、請求項１６または１７に記載の有機発光装置。
【請求項１９】
前記オレンジ色発光層は、５５０乃至６５０ｎｍの波長領域のオレンジ色光を発光する発光層を含むことを特徴とする、請求項１６〜１８のいずれかに記載の有機発光装置。
【請求項２０】
前記オレンジ色発光層は、赤色発光層及び緑色発光層が積層されていることを特徴とする、請求項１６〜１９のいずれかに記載の有機発光装置。
【請求項２１】
前記オレンジ色発光層は、ホスト物質に赤色発光物質及び緑色発光物質が共にドーピングされていることを特徴とする、請求項１６〜２０のいずれかに記載の有機発光装置。
【請求項２２】
前記ホスト物質は、三重項エネルギーが前記緑色発光物質の三重項エネルギーより大きいことを特徴とする、請求項２１に記載の有機発光装置。
【請求項２３】
前記第１電極と前記第１青色発光層との間、前記第１青色発光層と前記第１電荷生成層との間、前記第１電荷生成層と前記第２青色発光層との間、前記第２青色発光層と前記第２電荷生成層との間、前記第２電荷生成層と前記オレンジ色発光層との間、前記オレンジ色発光層と前記第２電極との間のうちの少なくとも一つに形成されている補助層をさらに含むことを特徴とする、請求項１６〜２２のいずれかに記載の有機発光装置。
【発明の詳細な説明】
【技術分野】
【０００１】
本発明は、有機発光装置に関するものである。
【背景技術】
【０００２】
最近、表示装置または照明装置として有機発光装置（ｏｒｇａｎｉｃ  ｌｉｇｈｔ  ｅｍｉｔｔｉｎｇ  ｄｉｏｄｅ  ｄｅｖｉｃｅ、ＯＬＥＤ  ｄｅｖｉｃｅ）が注目されている。
【０００３】
有機発光装置は、二つの電極及びその間に位置する発光層を含み、一つの電極から注入された電子（ｅｌｅｃｔｒｏｎ）及び他の電極から注入された正孔（ｈｏｌｅ）が発光層で結合して励起子（ｅｘｃｉｔｏｎ）を形成し、その励起子がエネルギーを放出しながら発光する。
【０００４】
有機発光装置が表示装置として使用される場合、自発光型で、別途の光源が不要であるため、消費電力の側面で有利であるだけでなく、応答速度、視野角、及びコントラスト比（ｃｏｎｔｒａｓｔ  ｒａｔｉｏ）も優れている。
【０００５】
一方、有機発光装置は、各画素に赤色副画素、青色副画素、及び緑色副画素などの複数の副画素を含み、これら副画素を組み合わせてフルカラー（ｆｕｌｌ  ｃｏｌｏｒ）を表現することができる。
【０００６】
この時、赤色副画素、青色副画素、及び緑色副画素は、各々赤色発光層、青色発光層、及び緑色発光層を含むことによって色を表示することができる。このような発光層は、微細シャドーマスク（ｆｉｎｅ  ｓｈａｄｏｗ  ｍａｓｋ）を使用して各副画素別に蒸着することができる。しかし、表示装置が大面積化されるのに伴って、微細シャドーマスクを使用して各副画素に発光層を蒸着するには限界がある。
【０００７】
従って、オープンマスク（ｏｐｅｎ  ｍａｓｋ）を使用して表示装置全体に赤色発光層、青色発光層、及び緑色発光層を順次に積層して、白色発光し、発光された光が通過する位置にカラーフィルターを設置して、各副画素別に赤色、緑色、及び青色を表示する技術が提案された（例えば、特許文献１参照）。
【先行技術文献】
【特許文献】
【０００８】
【特許文献１】大韓民国特許出願公開第１０−２００８−００６６４７０号明細書
【発明の概要】
【発明が解決しようとする課題】
【０００９】
しかしながら、このような白色発光の場合、各発光層の特性によって色特性及び効率が異なることがあり、安定性が低下する恐れがある。
【００１０】
そこで、本発明の目的（一側面）は、色特性及び効率を改善して、安定した白色を表示することができる有機発光装置を提供することにある。
【課題を解決するための手段】
【００１１】
本発明の１実施形態による有機発光装置は、第１電極、前記第１電極と対向する第２電極、及び前記第１電極と前記第２電極との間に位置する発光部材を含み、前記発光部材は、少なくとも二つの青色発光ユニット及び少なくとも一つのオレンジ色発光ユニットを含む。
【００１２】
前記発光部材は、前記複数の青色発光ユニットの間、及び前記各青色発光ユニットとオレンジ色発光ユニットとの間に各々位置する電荷生成層を含むことができる。
【００１３】
前記オレンジ色発光ユニットは、約５５０乃至６５０ｎｍの波長領域のオレンジ色光を発光する発光層を含むことができる。
【００１４】
前記オレンジ色発光ユニットは、赤色発光層及び緑色発光層が積層された構造からなってもよい。
【００１５】
前記赤色発光層は、正孔輸送特性を有する化合物を含むことができる。
【００１６】
前記赤色発光層は、トリフェニルアミン誘導体を含むことができる。
【００１７】
前記緑色発光層は、電子輸送特性を有する化合物を含むことができる。
【００１８】
前記緑色発光層は、トリアジン基及びオキサジアゾール基のうちの少なくとも一つを含むカルバゾール誘導体、スピロフルオレン誘導体、またはこれらの組み合わせを含むことができる。
【００１９】
前記オレンジ色発光ユニットは、ホスト物質に赤色発光物質及び緑色発光物質が共にドーピングされた発光層を含むことができる。
【００２０】
前記ホスト物質は、三重項エネルギーが前記緑色発光物質の三重項エネルギーより大きい物質を使用することができる。
【００２１】
前記赤色発光物質及び緑色発光物質は、燐光ドーパントであってもよい。
【００２２】
前記青色発光ユニットは、蛍光物質を含む発光層を含み、前記オレンジ色発光ユニットは、燐光物質を含む発光層を含むことができる。
【００２３】
前記青色発光ユニット及び前記オレンジ色発光ユニットのうちの少なくとも一つは、補助層を含むことができる。
【００２４】
前記発光部材は、前記青色発光ユニットから発光される光及び前記オレンジ色発光ユニットから発光される光を組み合わせて白色発光することができる。
【００２５】
前記有機発光装置は、互いに異なる色を表示する第１副画素、第２副画素、及び第３副画素、そして白色副画素を含むことができ、前記発光部材は、前記第１副画素、前記第２副画素、前記第３副画素、及び前記白色副画素に共通的に形成されていて、前記第１副画素、前記第２副画素、及び前記第３副画素は、前記発光部材の下部または上部に位置する赤色フィルター、緑色フィルター、及び青色フィルターを各々含むことができる。
【００２６】
本発明の第２実施形態による有機発光装置は、第１電極、前記第１電極上に形成されている第１青色発光層、前記第１青色発光層上に形成されている第１電荷生成層、前記第１電荷生成層上に形成されている第２青色発光層、前記第２青色発光層上に形成されている第２電荷生成層、前記第２電荷生成層上に形成されているオレンジ色発光層、及び前記オレンジ色発光層上に形成されている第２電極を含む。
【００２７】
前記第１青色発光層及び前記第２青色発光層は、蛍光物質を含むことができる。
【００２８】
前記オレンジ色発光層は、燐光物質を含むことができる。
【００２９】
前記オレンジ色発光層は、約５５０乃至６５０ｎｍの波長領域のオレンジ色光を発光する発光層を含むことができる。
【００３０】
前記オレンジ色発光層は、赤色発光層及び緑色発光層が積層されていてもよい。
【００３１】
前記オレンジ色発光層は、ホスト物質に赤色発光物質及び緑色発光物質が共にドーピングされていてもよい。
【００３２】
前記ホスト物質は、三重項エネルギーが前記緑色発光物質の三重項エネルギーより大きい物質を使用することができる。
【００３３】
前記有機発光装置は、前記第１電極と前記第１青色発光層との間、前記第１青色発光層と前記第１電荷生成層との間、前記第１電荷生成層と前記第２青色発光層との間、前記第２青色発光層と前記第２電荷生成層との間、前記第２電荷生成層と前記オレンジ色発光層との間、前記オレンジ色発光層と前記第２電極との間のうちの少なくとも一つに形成されている補助層をさらに含むことができる。
【発明の効果】
【００３４】
本発明による有機発光装置は、色特性及び効率が改善されて、安定した白色を表示することができる。
【図面の簡単な説明】
【００３５】
【図１】本発明の１実施形態による有機発光装置を概略的に示した断面図である。
【図２】本発明の１実施形態による有機発光装置における複数の画素の配置を例示した平面図である。
【図３】本発明の１実施形態による有機発光装置の構造を示した断面図である。
【図４】本発明の実施形態による有機発光装置の波長による光の強さを示したグラフである。
【図５】本発明の実施形態による有機発光装置の寿命特性を示したグラフである。
【発明を実施するための形態】
【００３６】
以下、添付図面を参照して、本発明の実施形態について、本発明が属する技術分野における通常の知識を有する者が容易に実施できるように詳しく説明する。しかし、本発明は多様な形態に具現され、ここで説明する実施形態に限られない。
【００３７】
図面では、多数の層及び領域を明確に表現するために厚さを拡大して示した。明細書全体にわたって類似する部分については同一な図面符号を付けた。層、膜、領域、板などの部分がある部分の「上」にあるという時、これは他の部分の「直上」にある場合だけでなく、その中間にまた他の部分がある場合も含む。一方、ある部分が他の部分の「直上」にあるという時、これはその中間に他の部分がないことを意味する。
【００３８】
以下、本発明の１実施形態による有機発光装置について図１を参照して説明する。
【００３９】
図１は本発明の１実施形態による有機発光装置を概略的に示した断面図である。
【００４０】
図１を参照すると、本発明の実施形態による有機発光装置は、互いに対向する下部電極１００及び上部電極２００、前記下部電極１００と上部電極２００との間に位置する有機発光部材３００を含む。
【００４１】
下部電極１００及び上部電極２００のうちの一つはカソード（ｃａｔｈｏｄｅ）であり、他の一つはアノード（ａｎｏｄｅ）である。例えば、下部電極１００がアノード（ａｎｏｄｅ）であり、上部電極２００がカソード（ｃａｔｈｏｄｅ）である。
【００４２】
下部電極１００及び上部電極２００のうちの少なくとも一つは透明電極であり、下部電極１００が透明電極である場合には、下部側に光を発光する背面発光（ｂｏｔｔｏｍ  ｅｍｉｓｓｉｏｎ）であり、上部電極２００が透明電極である場合には、上部側に光を発光する前面発光（ｔｏｐ  ｅｍｉｓｓｉｏｎ）である。また、下部電極１００及び上部電極２００が全て透明電極である場合には、下部及び上部に光を発光する両面発光である。透明電極は、ＩＴＯ、ＩＺＯ、またはこれらの組み合わせからなり、アルミニウム（Ａｌ）、銀（Ａｇ）、またはこれらの組み合わせを薄い厚さに形成してもよい。
【００４３】
下部電極１００または上部電極２００が不透明電極である場合には、アルミニウム（Ａｌ）、銀（Ａｇ）などの不透明金属で形成される。
【００４４】
有機発光部材３００は、互いに異なる色を表示する複数の発光ユニットを含み、各発光ユニットから発光される光を組み合わせて白色発光することができる。
【００４５】
有機発光部材３００は、第１青色発光ユニット２０、第２青色発光ユニット３０、及びオレンジ色発光ユニット４０を含み、第１青色発光ユニット２０と第２青色発光ユニット３０との間、及び第２青色発光ユニット３０とオレンジ色発光ユニット４０との間には各々電荷生成層５０ａ、５０ｂが形成されている。しかし、これに限定されず、三つ以上の青色発光ユニット及び／または二つ以上のオレンジ色発光ユニットを含んでもよく、この場合、各発光ユニットの間には電荷生成層が形成される。
【００４６】
第１青色発光ユニット２０は、青色波長領域の光を発光する青色発光層２２、及び前記青色発光層２２の下部及び上部に位置する補助層２１、２３を含む。例えば、下部電極１００がアノードである場合には、補助層２１は正孔注入層及び正孔伝達層から選択された少なくとも一つであり、補助層２３は電子注入層及び電子伝達層から選択された少なくとも一つである。しかし、補助層２１、２３のうちの少なくとも一つは省略されてもよい。
【００４７】
第２青色発光ユニット３０は、青色波長領域の光を発光する青色発光層３２、及び前記青色発光層３２の下部及び上部に位置する補助層３１、３３を含む。例えば、下部電極１００がアノードである場合には、補助層３１は正孔注入層及び正孔伝達層から選択された少なくとも一つであり、補助層３３は電子注入層及び電子伝達層から選択された少なくとも一つである。しかし、補助層３１、３３のうちの少なくとも一つは省略されてもよい。
【００４８】
オレンジ色発光ユニット４０は、オレンジ色波長領域の光を発光するオレンジ色発光層４２、及び前記発光層４２の下部及び上部に位置する補助層４１、４３を含む。例えば、下部電極１００がアノードである場合には、補助層４１は正孔注入層及び正孔伝達層から選択された少なくとも一つであり、補助層４３は電子注入層及び電子伝達層から選択された少なくとも一つである。しかし、補助層４１、４３のうちの少なくとも一つは省略されてもよい。なお、補助層４１、４３として選択可能な正孔注入層、正孔伝達層、電子注入層及び電子伝達層の各形成材料としては、特に制限されるものではなく、従来公知の正孔注入層用の形成材料、正孔伝達層用の形成材料、電子注入層用の形成材料、及び電子伝達層用の形成材料の中から適宜選択して利用することができる。
【００４９】
オレンジ色発光層４２は、一つの色を発光する単一層、または各々異なる色を発光する二つ以上の層が積層された複数層である。
【００５０】
オレンジ色発光層４２が単一層である場合、オレンジ色発光層４２は、約５５０乃至６５０ｎｍの波長領域のオレンジ色光を発光する発光物質で形成される。約５５０乃至６５０ｎｍの波長領域のオレンジ色光を発光する発光物質の例としては、特に制限されるものではなく、従来公知の約５５０乃至６５０ｎｍの波長領域のオレンジ色光を発光する発光物質の中から適宜選択して利用することができる。
【００５１】
または、オレンジ色発光層４２は、ホスト物質を含む一つの層に赤色発光物質及び緑色発光物質が共にドーピングされる。この場合、ホスト物質は、緑色発光層のホストに使用される物質を使用することができ、三重項エネルギーが緑色ドーパント（前記オレンジ色発光層４２にドーピングされる緑色発光物質）の三重項エネルギーより大きい物質を使用することができる。ドーパント（前記オレンジ色発光層４２にドーピングされる赤色発光物質及び緑色発光物質）は、燐光物質（燐光ドーパント）であってもよい。
【００５２】
オレンジ色発光層４２が複数層である場合、オレンジ色発光層４２は、赤色波長領域の光を発光する赤色発光層、及び緑色波長領域の光を発光する緑色発光層が積層された構造からなる。この場合、赤色発光層は正孔輸送特性を有し、正孔輸送特性を有する化合物を含む。緑色発光層は電子輸送特性を有し、電子輸送特性を有する化合物を含む。赤色発光層のホスト（正孔輸送特性を有する化合物）の例としては、トリフェニルアミン誘導体が挙げられ、緑色発光層のホスト（電子輸送特性を有する化合物）の例としては、トリアジン基及びオキサジアゾール基のうちの少なくとも一つを含むカルバゾール誘導体、スピロフルオレン誘導体、またはこれらの組み合わせが挙げられる。赤色発光層のドーパントとしては、赤色発光物質が挙げられ、該赤色発光物質としては燐光物質であってもよく、緑色発光層のドーパントとしては、緑色発光物質が挙げられ、該緑色発光物質としては燐光物質であってもよい。
【００５３】
青色発光層２２、３２は、蛍光物質を含むことができ、オレンジ色発光層４２は、燐光物質を含むことができる。
【００５４】
電荷生成層５０ａ、５０ｂは、電子−正孔の対を生成することができる層であり、ここで生成された正孔は一方の側の発光ユニットに伝達され、電子は他方の側の発光ユニットに伝達される。例えば、下部電極１００がアノードであり、上部電極２００がカソードである場合、電荷生成層５０ａから生成された電子は第１青色発光ユニット２０に移動し、正孔は第２青色発光ユニット３０に移動することができる。また、電子生成層５０ｂから生成された電子は第２青色発光ユニット３０に移動し、正孔はオレンジ色発光ユニット４０に移動することもできる。
【００５５】
このように各発光ユニットの間に電荷生成層５０ａ、５０ｂが形成されることによって、電流効率を向上させて、素子寿命を改善することができる。
【００５６】
前述のように、本発明の実施形態による有機発光装置は、互いに異なる色を表示する発光層を組み合わせて白色発光する。この時、少なくとも二つの青色発光ユニット及び少なくとも一つのオレンジ色発光ユニットを組み合わせて白色発光する。
【００５７】
ここで、青色発光ユニットを成す青色発光層は、蛍光物質を含むことができる。一般に、１００％に近い内部陽子効率を達成するためには、燐光物質を使用することができるが、青色発光の燐光物質は寿命が短くて、素子に適用する場合に有機発光装置の寿命を短かくする。従って、本発明の実施形態では青色発光層として蛍光物質を使用するが、このような青色発光層を複数積層することによって、燐光を使用する他の発光物質と効率を合わせて、安定した白色を表示することができる。
【００５８】
このような安定した白色は、カラーフィルターを通過することによって、色純度及び効率が高い色に表示される。
【００５９】
前述した有機発光装置は、複数の画素を含むことができ、各画素は、複数の副画素を含むことができる。これについて、図２及び図３を参照して説明する。
【００６０】
図２は本発明の１実施形態による有機発光装置における複数の画素の配置を例示した平面図であり、図３は本発明の１実施形態による有機発光装置の構造を示した断面図である。
【００６１】
まず、図２を参照すると、本発明の１実施形態による有機発光装置は、赤色を表示する赤色副画素（Ｒ）、緑色を表示する緑色副画素（Ｇ）、青色を表示する青色副画素（Ｂ）、及び色を表示しない白色副画素（Ｗ）が交互に配置されている。
【００６２】
赤色副画素（Ｒ）、緑色副画素（Ｇ）、及び青色副画素（Ｂ）は、フルカラー（ｆｕｌｌ  ｃｏｌｏｒ）を表現するための基本画素である。白色副画素（Ｗ）は、光透過度を高めて、素子の輝度を高めることができる。
【００６３】
赤色副画素（Ｒ）、緑色副画素（Ｇ）、青色副画素（Ｂ）、及び白色副画素（Ｗ）を含む四つの副画素は一つの画素を成し、このような画素は、行及び／または列に沿って繰り返し配置される。しかし、画素の配置は多様に変更することができる。
【００６４】
図３を参照して、赤色副画素（Ｒ）、緑色副画素（Ｇ）、青色副画素（Ｂ）、及び白色副画素（Ｗ）を含む有機発光装置の構造を説明する。
【００６５】
絶縁基板１１０上に複数の薄膜トランジスターアレイ（ｔｈｉｎ  ｆｉｌｍ  ｔｒａｎｓｉｓｔｏｒ  ａｒｒａｙ）が配列されている。薄膜トランジスターアレイは、各副画素に配置されているスイッチング薄膜トランジスター（Ｑｓ）及び駆動薄膜トランジスター（Ｑｄ）を含み、これらは電気的に連結されている。図３では各副画素にスイッチング薄膜トランジスター（Ｑｓ）及び駆動薄膜トランジスター（Ｑｄ）が一つずつだけ含まれることを示したが、これに限定されず、各副画素に複数含まれてもよい。
【００６６】
薄膜トランジスターアレイ上には下部絶縁膜１１２が形成されている。下部絶縁膜１１２にはスイッチング薄膜トランジスター（Ｑｓ）及び駆動薄膜トランジスター（Ｑｄ）の一部を露出する複数の接触孔（図示せず）が形成されている。
【００６７】
下部絶縁膜１１２上には、赤色副画素（Ｒ）に赤色フィルター２３０Ｒ、緑色副画素（Ｇ）に緑色フィルター２３０Ｇ、青色副画素（Ｂ）に青色フィルター２３０Ｂが各々形成されている。カラーフィルター２３０Ｒ、２３０Ｇ、２３０Ｂは、カラーフィルターオンアレイ（ｃｏｌｏｒ  ｆｉｌｔｅｒ  ｏｎ  ａｒｒａｙ、ＣｏＡ）方式で配置される。
【００６８】
白色副画素（Ｗ）には、カラーフィルターの代わりに、他の副画素のカラーフィルターと段差を合わせるための透明絶縁膜２３５が形成されている。しかし、透明絶縁膜２３５は省略されてもよい。
【００６９】
赤色フィルター２３０Ｒ、緑色フィルター２３０Ｇ、青色フィルター２３０Ｂ、及び透明絶縁膜２３５の間には遮光部材２２０が形成されている。遮光部材２２０は、各画素の間で光漏れを防止することができる。
【００７０】
赤色フィルター２３０Ｒ、緑色フィルター２３０Ｇ、青色フィルター２３０Ｂ、透明絶縁膜２３５、及び遮光部材２２０上には上部絶縁膜１１４が形成されている。上部絶縁膜１１４には複数の接触孔（図示せず）が形成されている。
【００７１】
上部絶縁膜１１４上には画素電極１００Ｒ、１００Ｇ、１００Ｂ、１００Ｗが形成されている。画素電極１００Ｒ、１００Ｇ、１００Ｂ、１００Ｗは、接触孔（図示せず）を通して駆動薄膜トランジスター（Ｑｄ）と電気的に連結されていて、例えばアノード（ａｎｏｄｅ）の役割を果たすことができる。
【００７２】
各画素電極１００Ｒ、１００Ｇ、１００Ｂ、１００Ｗ上には各副画素を定義するための複数の絶縁部材３６１が形成されていて、画素電極１００Ｒ、１００Ｇ、１００Ｂ、１００Ｗ及び絶縁部材３６１上には有機発光部材３００が形成されている。
【００７３】
有機発光部材３００は、図１に示したように、第１青色発光ユニット２０、第２青色発光ユニット３０、及びオレンジ色発光ユニット４０を含み、第１青色発光ユニット２０と第２青色発光ユニット３０との間、及び第２青色発光ユニット３０とオレンジ色発光ユニット４０との間には各々電荷生成層５０ａ、５０ｂが形成されている。しかし、これに限定されず、三つ以上の青色発光ユニット及び／または二つ以上のオレンジ色発光ユニットを含むこともでき、この場合、各発光ユニットの間には電荷生成層が形成される。
【００７４】
有機発光部材３００は、少なくとも二つの青色発光ユニット及びオレンジ色発光ユニットから発光される光を組み合わせて白色発光することができる。
【００７５】
有機発光部材３００上には共通電極２００が形成されている。共通電極２００は基板全面に形成されていて、例えばカソード（ｃａｔｈｏｄｅ）であってもよい。共通電極２００は、画素電極１００Ｒ、１００Ｇ、１００Ｂ、１００Ｗと対を成して、有機発光部材３００に電流を流す。
【００７６】
ここで、前述した本発明の実施形態による有機発光装置の色特性及び効率について、図４及び表１を図１乃至図３と共に参照して説明する。
【００７７】
図４は本発明の１実施形態による有機発光装置の波長による発光強度を示したグラフである。
【００７８】
本実施形態による有機発光装置は、発光層３００で白色発光した光が赤色フィルター２３０Ｒ、緑色フィルター２３０Ｇ、及び青色フィルター２３０Ｂを各々通過して、図４に示された赤色ピーク（Ｒ）、緑色ピーク（Ｇ）、及び青色ピーク（Ｂ）を示す。
【００７９】
図４のように、赤色ピーク（Ｒ）、緑色ピーク（Ｇ）、及び青色ピーク（Ｂ）は、各当該波長領域において全て色特性が優れていることが分かる。また、カラーフィルターを通過しない白色発光された光の白色ピーク（Ｗ）も、輝度が高く、安定した白色を表示することが分かる。
【００８０】
これに関する色座標及び輝度は表１に示した。
【００８１】
【表１】
2011119251.tif 000003
【００８２】
図４及び表１に示されたように、本発明の実施形態による有機発光装置は、色特性が優れていて、輝度及び効率が高いことが分かる。特に、白色光（Ｗ）がカラーフィルターを通過した後に高色純度の色を表示することが分かる。
【００８３】
次に、図５を参照して寿命特性を確認する。
【００８４】
図５は本発明の実施形態による有機発光装置の寿命特性を示したグラフである。
【００８５】
図５を参照すると、初期に約５０００ｎｉｔの輝度を有する有機発光表示装置において、輝度が半分に減少する時間が約４４００時間と測定された。これを加速因子１．５を適用して実際の使用条件に換算すると、１０００ｎｉｔの条件で約６万時間の寿命を確保することができて、寿命が長いことが分かる。
【００８６】
以上で、本発明の望ましい実施形態について詳細に説明したが、本発明の権利範囲はこれに限定されず、特許請求の範囲で定義している本発明の基本概念を利用した当業者の多様な変形及び改良形態も本発明の権利範囲に属する。
【符号の説明】
【００８７】
２０、３０  青色発光ユニット、
２１、２３、３１、３３、４１、４３  補助層、
２２、３２  青色発光層、
４０  オレンジ色発光ユニット、
４２  オレンジ色発光層、
５０ａ、５０ｂ  電荷生成層、
１００、２００  電極、
１００Ｒ、１００Ｇ、１００Ｂ、１００Ｗ  画素電極（アノード）、
１１０  絶縁基板、
１１２  下部絶縁膜、
１１４  上部絶縁膜、
２００  共通電極（カソード）、
２２０  遮光部材、
２３０Ｒ  赤色フィルター、
２３０Ｇ  緑色フィルター、
２３０Ｂ  青色フィルター、
２３５  透明絶縁膜、
３００  有機発光部材、
３６１  絶縁部材、
Ｒ  赤色副画素（図２、３）または赤色ピーク（図４）、
Ｇ  緑色副画素（図２、３）または緑色ピーク（図４）、
Ｂ  青色副画素（図２、３）または青色ピーク（図４）、
Ｗ  白色副画素（図２、３）または白色ピーク（図４）、
Ｑｓ  スイッチング薄膜トランジスター、
Ｑｄ  駆動薄膜トランジスター。
【図２】
2011119251.tif 000004
【図３】
2011119251.tif 000005
【図４】
2011119251.tif 000006
【図５】
2011119251.tif 000007
【図１】
2011119251.tif 000008